(57)【要約】【課題】プリントのためのデータを送信する入力機器において、電力残量が不十分な場合でもプリントのためのデータ転送を完了することにある。【解決手段】電力を供給するための電源部３９を有し、画像データの記録媒体への記録の注文を送信する入力機器２と、電源部３９を使用し情報伝達を行う無線方式と、電源部３９を使用せず情報伝達を行う外部電源使用方式と、無線方式又は外部電源使用方式を介して通信接続され、入力機器２から受信した注文に基づいて当該画像データの記録媒体への記録の注文を受け付ける受信機器１と、を備え、入力機器２は、記憶部３４と、通信部３６と、を備え、受信機器１は、通信部１７と、ＨＤＤ１３と、電池残量４７と消費電力４９に基づいて、通信部３６及び通信部１７で用いる無線方式又は外部電源使用方式を選択する選択手段と、を備える。【選択図】図１
2007156735.tif 000002
【特許請求の範囲】
【請求項１】
電力を供給するための電力供給手段を有し、画像データの記録媒体への記録の注文を送信する第１の機器と、
前記電力供給手段を使用し情報伝達を行う第１の情報伝達手段と、
前記電力供給手段を使用せず情報伝達を行う第２の情報伝達手段と、
前記第１の情報伝達手段又は前記第２の情報伝達手段を介して通信接続され、前記第１の機器から受信した注文に基づいて当該画像データの記録媒体への記録の注文を受け付ける第２の機器と、を備え
前記第１の機器は、
注文プリント対象画像データと当該注文プリント対象画像データのプリント枚数とが関連付けられたプリント処理情報を記憶する第１の記憶手段と、
前記第１の情報伝達手段又は前記第２の情報伝達手段を介して、前記電力供給手段の電力残量、前記注文プリント対象画像データ及び前記プリント処理情報を前記第２の機器から送信する送信手段と、を備え、
前記第２の機器は、
前記第１の情報伝達手段又は前記第２の情報伝達手段を介して、前記第１の機器から前記電力供給手段の電力残量、前記注文プリント対象画像データ及び前記プリント処理情報を受信する受信手段と、
受信した前記電力供給手段の電力残量、前記注文プリント対象画像データ及び前記プリント処理情報とを記憶する第２の記憶手段と、
前記注文プリント対象画像データを受信するために必要な電力量を算出する第１の算出手段と、
前記電力供給手段の電力残量と前記算出された電力量に基づいて、前記送信手段及び受信手段で用いる前記第１の情報伝達手段又は前記第２の情報伝達手段を選択する選択手段と、
を備えたことを特徴とするプリント注文システム。  
【請求項２】
前記選択手段は、算出された電力量が前記電力供給手段の電力残量以下である場合、前記第１の情報伝達手段を選択することを特徴とする請求項１に記載のプリント注文システム。
【請求項３】
前記第２の機器は、
単位時間当たりの通信量又は単位時間当たりの消費電力を取得する取得手段と、
前記注文プリント対象画像データの容量と前記単位時間当たりの通信量との除算から通信に要する通信時間を算出する第２の算出手段と、を備え、
前記選択手段は、前記通信時間が所定の時間閾値より短い前記第１の情報伝達手段及び前記第２の情報伝達手段を選択することを特徴とする請求項１又は２に記載のプリント注文システム。
【請求項４】
前記時間閾値は、現在時刻情報に応じて変化することを特徴とする請求項３に記載のプリント注文システム。
【請求項５】
前記第２の機器は、
操作入力を受付ける操作手段を備え、
前記選択手段は、前記操作手段を介する前記第１の情報伝達手段及び前記第２の情報伝達手段の選択入力に基づいて前記第１の情報伝達手段又は前記第２の情報伝達手段を選択することを特徴とする請求項１から４のいずれか一項に記載のプリント注文システム。
【請求項６】
前記第１の情報伝達手段は複数であり、
前記選択手段は前記第１の情報伝達手段を選択する場合に当該複数の第１の情報伝達手段の１つを選択することを特徴とする請求項１から５のいずれか一項に記載のプリント注文システム。
【請求項７】
前記選択手段は、前記第１の情報伝達手段のうち最速のものを選択することを特徴とする請求項６に記載のプリント注文システム。
【請求項８】
電力を供給するための電力供給手段を有する第１の機器により、
前記電力供給手段を使用し情報伝達を行う第１の情報伝達手段又は前記電力供給工程を使用せず情報伝達を行う第２の情報伝達手段を介して、前記電力供給工程の電力残量、前記注文プリント対象画像データ及び前記プリント処理情報を前記第２の機器から送信する送信工程と、
注文プリント対象画像データと当該注文プリント対象画像データのプリント枚数とが関連付けられたプリント処理情報を記憶する第１の記憶工程と、
前記第２の機器により、
前記第１の情報伝達手段又は前記第２の情報伝達手段を介して、前記第１の機器から前記電力供給工程の電力残量、前記注文プリント対象画像データ及び前記プリント処理情報を受信する受信工程と、
受信した前記電力供給工程の電力残量、前記注文プリント対象画像データ及び前記プリント処理情報とを記憶する第２の記憶工程と、
前記注文プリント対象画像データを受信するために必要な電力量を算出する第１の算出工程と、
前記電力供給工程の電力残量と前記算出された電力量に基づいて、前記送信工程及び受信工程で用いる前記第１の情報伝達手段又は前記第２の情報伝達手段を選択する選択工程と、
を含むことを特徴とするプリント注文方法。  
【請求項９】
前記選択工程は、算出された電力量が前記電力供給手段の電力残量以下である場合、前記第１の情報伝達工程を選択することを特徴とする請求項８に記載のプリント注文方法。
【請求項１０】
前記第２の機器により、
単位時間当たりの通信量又は単位時間当たりの消費電力を取得する取得工程と、
前記注文プリント対象画像データの容量と前記単位時間当たりの通信量との除算から通信に要する通信時間を算出する第２の算出工程と、を含み、
前記選択工程は、前記通信時間が所定の時間閾値より短い前記第１の情報伝達工程及び前記第２の情報伝達工程を選択することを特徴とする請求項８又は９に記載のプリント注文方法。
【請求項１１】
前記時間閾値は、現在時刻情報に応じて変化することを特徴とする請求項１０に記載のプリント注文方法。
【請求項１２】
前記第２の機器により、
操作入力を受け付ける操作工程を含み、
前記選択工程は、前記操作工程を介する前記第１の情報伝達手段及び前記第２の情報伝達手段の選択入力に基づいて前記第１の情報伝達手段又は前記第２の情報伝達手段を選択することを特徴とする請求項８から１１のいずれか一項に記載のプリント注文方法。
【請求項１３】
前記第１の情報伝達手段は複数であり、
前記選択工程は前記第１の情報伝達手段を選択する場合に当該複数の第１の情報伝達手段の１つを選択することを特徴とする請求項８から１２のいずれか一項に記載のプリント注文方法。
【請求項１４】
前記選択工程は、前記第１の情報伝達手段のうち最速のものを選択することを特徴とする請求項１３に記載のプリント注文方法。
【発明の詳細な説明】
【技術分野】
【０００１】
本発明は、プリント注文システム及びプリント注文方法に関する。
【背景技術】
【０００２】
近年、デジタルカメラや、デジタルカメラを搭載した携帯電話などが急速に普及している。このようなデジタルカメラに代表される撮影装置で撮影した画像を高品位にプリントする場合、携帯電話等の無線通信ネットワークを使用して画像データをプリント先に送信することが行われている。撮影装置で撮影した画像データをプリント先へ送信する方法は、プリンタ店等に備えられている受信手段と無線通信を行うことにより実現される。
【０００３】
また、インターネット等のネットワーク技術の開発により、ネットワークを介してデジタルカメラをＰＣ（Personal Computor）に接続し、ネットワーク上のサーバに画像データを送信することも可能になった。このようなネットワーク技術を利用して、撮影装置で生成された画像データの写真プリントやＣＤ−Ｒ等の記録媒体への記録（以下、この記録媒体への記録を総称して「プリント」という）を、インターネット等を介してプリント店の受注サーバに注文（オーダー）するシステムがある。  
【０００４】
また、デジタルカメラに代表される撮影装置は近年、メモリ容量が大きくなり、大量の画像データをメモリに保存することができるため、その保存された大量の画像データを転送する場合がある。しかし、大量の画像データを転送するには、データ転送に長時間を要するため、データ転送中に撮影装置のバッテリ容量が切れてしまうと、プリントしたくてもプリントのデータ転送を完了できない場合がある。
【０００５】
デジタルカメラ等から複数のページを連続してプリントする場合、プリントのデータ転送に必要な時間を算出しておき、算出したデータをデジタルカメラに送信することによって、デジタルカメラからプリンタへ頻繁に問い合わせを行ったり、デジタルカメラの受信状態を保持したまま待機することなく、複数のデータを自動的に連続して送信することができ、デジタルカメラの消費電力を節減することができる。（特許文献１）。
【０００６】
また、デジタルカメラのバッテリ状態を監視することにより、画像データ転送時間分のバッテリ残量がない場合、プリント注文を受け付けず、デジタルカメラから画像データを送信中にバッテリ切れによるプリント失敗の発生を減少させることができる（特許文献２）。
【特許文献１】特開２００４−０７０９４０号公報
【特許文献２】特開２００２−２３４２３２号公報
【発明の開示】
【発明が解決しようとする課題】
【０００７】
しかし、特許文献１の技術では、デジタルカメラのバッテリ残量が無い場合は通信継続することができなかった。
【０００８】
また、特許文献２の技術では、デジタルカメラのバッテリ残量の状態を知ることはできるが、画像データ転送分のバッテリ残量が無い場合、プリント注文を受付けないためプリントをすることができなかった。
【０００９】
本発明の課題は、電力供給を要する通信手段を介してプリントのためのデータを送信する入力機器において、電力残量が不十分な場合でもプリントのためのデータ転送を完了することにある。
【課題を解決するための手段】
【００１０】
上記課題を解決するため、請求項１に記載のプリント注文システムは、
電力を供給するための電力供給手段を有し、画像データの記録媒体への記録の注文を送信する第１の機器と、
前記電力供給手段を使用し情報伝達を行う第１の情報伝達手段と、
前記電力供給手段を使用せず情報伝達を行う第２の情報伝達手段と、
前記第１の情報伝達手段又は前記第２の情報伝達手段を介して通信接続され、前記第１の機器から受信した注文に基づいて当該画像データの記録媒体への記録の注文を受け付ける第２の機器と、を備え
前記第１の機器は、
注文プリント対象画像データと当該注文プリント対象画像データのプリント枚数とが関連付けられたプリント処理情報を記憶する第１の記憶手段と、
前記第１の情報伝達手段又は前記第２の情報伝達手段を介して、前記電力供給手段の電力残量、前記注文プリント対象画像データ及び前記プリント処理情報を前記第２の機器から送信する送信手段と、を備え、
前記第２の機器は、
前記第１の情報伝達手段又は前記第２の情報伝達手段を介して、前記第１の機器から前記電力供給手段の電力残量、前記注文プリント対象画像データ及び前記プリント処理情報を受信する受信手段と、
受信した前記電力供給手段の電力残量、前記注文プリント対象画像データ及び前記プリント処理情報とを記憶する第２の記憶手段と、
前記注文プリント対象画像データを受信するために必要な電力量を算出する第１の算出手段と、
前記電力供給手段の電力残量と前記算出された電力量に基づいて、前記送信手段及び受信手段で用いる前記第１の情報伝達手段又は前記第２の情報伝達手段を選択する選択手段と、
を備えることを特徴とする。  
【００１１】
請求項２に記載の発明は、請求項１に記載のプリント注文システムにおいて、
前記選択手段は、算出された電力量が前記電力供給手段の電力残量以下である場合、前記第１の情報伝達手段を選択することを特徴とする。
【００１２】
請求項３に記載の発明は、請求項１又は２に記載のプリント注文システムにおいて、
前記第２の機器は、
単位時間当たりの通信量又は単位時間当たりの消費電力を取得する取得手段と、
前記注文プリント対象画像データの容量と前記単位時間当たりの通信量との除算から通信に要する通信時間を算出する第２の算出手段と、を備え、
前記選択手段は、前記通信時間が所定の時間閾値より短い前記第１の情報伝達手段及び前記第２の情報伝達手段を選択することを特徴とする。
【００１３】
請求項４に記載の発明は、請求項３に記載のプリント注文システムにおいて、
前記時間閾値は、現在時刻情報に応じて変化することを特徴とする。
【００１４】
請求項５に記載の発明は、請求項１から４のいずれか一項に記載のプリント注文システムにおいて、
前記第２の機器は、
操作入力を受付ける操作手段を備え、
前記選択手段は、前記操作手段を介する前記第１の情報伝達手段及び前記第２の情報伝達手段の選択入力に基づいて前記第１の情報伝達手段又は前記第２の情報伝達手段を選択することを特徴とする。
【００１５】
請求項６に記載の発明は、請求項１から５のいずれか一項に記載のプリント注文システムにおいて、
前記第１の情報伝達手段は複数であり、
前記選択手段は前記第１の情報伝達手段を選択する場合に当該複数の第１の情報伝達手段の１つを選択することを特徴とする。
【００１６】
請求項７に記載の発明は、請求項６に記載のプリント注文システムにおいて、前記選択手段は、前記第１の情報伝達手段のうち最速のものを選択することを特徴とする。
【００１７】
請求項８に記載の発明は、プリント注文方法において、
電力を供給するための電力供給手段を有する第１の機器により、
前記電力供給手段を使用し情報伝達を行う第１の情報伝達手段又は前記電力供給工程を使用せず情報伝達を行う第２の情報伝達手段を介して、前記電力供給工程の電力残量、前記注文プリント対象画像データ及び前記プリント処理情報を前記第２の機器から送信する送信工程と、
注文プリント対象画像データと当該注文プリント対象画像データのプリント枚数とが関連付けられたプリント処理情報を記憶する第１の記憶工程と、
前記第２の機器により、
前記第１の情報伝達手段又は前記第２の情報伝達手段を介して、前記第１の機器から前記電力供給工程の電力残量、前記注文プリント対象画像データ及び前記プリント処理情報を受信する受信工程と、
受信した前記電力供給工程の電力残量、前記注文プリント対象画像データ及び前記プリント処理情報とを記憶する第２の記憶工程と、
前記注文プリント対象画像データを受信するために必要な電力量を算出する第１の算出工程と、
前記電力供給工程の電力残量と前記算出された電力量に基づいて、前記送信工程及び受信工程で用いる前記第１の情報伝達手段又は前記第２の情報伝達手段を選択する選択工程と、
を含むことを特徴とする。  
【００１８】
請求項９に記載の発明は、請求項８に記載のプリント注文方法において、
前記選択工程は、算出された電力量が前記電力供給手段の電力残量以下である場合、前記第１の情報伝達工程を選択することを特徴とする。
【００１９】
請求項１０に記載の発明は、請求項８又は９に記載のプリント注文方法において、前記第２の機器により、
単位時間当たりの通信量又は単位時間当たりの消費電力を取得する取得工程と、
前記注文プリント対象画像データの容量と前記単位時間当たりの通信量との除算から通信に要する通信時間を算出する第２の算出工程と、を含み、
前記選択工程は、前記通信時間が所定の時間閾値より短い前記第１の情報伝達工程及び前記第２の情報伝達工程を選択することを特徴とする。
【００２０】
請求項１１に記載の発明は、請求項１０に記載のプリント注文方法において、前記時間閾値は、現在時刻情報に応じて変化することを特徴とする。
【００２１】
請求項１２に記載の発明は、請求項８から１１のいずれか一項に記載のプリント注文方法において、
前記第２の機器により、
操作入力を受付ける操作工程を含み、
前記選択工程は、前記操作工程を介する前記第１の情報伝達手段及び前記第２の情報伝達手段の選択入力に基づいて前記第１の情報伝達手段又は前記第２の情報伝達手段を選択することを特徴とする。
【００２２】
請求項１３に記載の発明は、請求項８から１２のいずれか一項に記載のプリント注文方法において、
前記第１の情報伝達手段は複数であり、
前記選択工程は前記第１の情報伝達手段を選択する場合に当該複数の第１の情報伝達手段の１つを選択することを特徴とする。
【００２３】
請求項１４に記載の発明は、請求項１３に記載のプリント注文方法において、前記選択工程は、前記第１の情報伝達手段のうち最速のものを選択することを特徴とする。
【発明の効果】
【００２４】
請求項１，８に記載の発明によれば、プリント注文システムにおいて、第１の情報伝達手段及び第２の情報伝達手段が備えられていることにより、第１の機器の電力残量が不十分な場合でも第２の情報伝達手段を選択することによりプリントのためのデータ転送を完了することができ、ユーザは効率的なプリントが可能となる。
【００２５】
また、請求項２，９に記載の発明によれば、プリント対象画像データを送信するのに必要な電力量が第１の機器の電力残量以下である場合、第１の情報伝達手段を選択することにより、プリントのためのデータ転送を完了することができ、ユーザは効率的なプリントが可能となる。
【００２６】
また、請求項３，１０に記載の発明によれば、通信に要する通信時間を算出することにより、通信時間が所定の時間閾値より短い第１の情報伝達手段及び第２の情報伝達手段を選択することができ、ユーザは通信時間を参照して予めプリントする時間を判断することができ、効率的なプリントが可能となる。
【００２７】
また、請求項４，１１に記載の発明によれば、時間閾値は、現在時刻情報に応じて変化することにより、適切な情報伝達手段の選択が可能となる。
【００２８】
また、請求項５，１２に記載の発明によれば、ユーザが操作することができる操作手段を備えることにより、ユーザの意図で第１の情報伝達手段及び第２の情報伝達手段を選択することができる。
【００２９】
また、請求項６，１３に記載の発明によれば、第１の情報伝達手段を複数備えていることにより、複数の第１の情報伝達手段から１つの第１の情報伝達手段を選択することができる。
【００３０】
また、請求項７，１４に記載の発明によれば、最速な第１の情報伝達手段を選択することができ、時間に効率的なプリントが可能となる。
【発明を実施するための最良の形態】
【００３１】
以下、添付図を参照して本発明に係る実施の形態を詳しく説明する。ただし、発明の範囲は、図示例に限定されない。
【００３２】
（第１の実施の形態）
図１〜図７を参照して、本発明に係る第１の実施の形態を説明する。先ず、図１〜図３を参照して、本実施の形態の装置構成を説明する。図１に本実施の形態のプリント注文システム１００を示す。図２に受信機器１Ａの内部構成を示す。図３に入力機器２の内部構成を示す。
【００３３】
図１を参照して、本実施の形態のプリント注文システム１００を説明する。プリント注文システム１００は、第１の機器としての入力機器２から受信した画像データを第２の機器としての受信機器１でプリントするシステムである。プリント注文システムは、受信機器１と、入力機器２と、を備えて構成される。受信機器１は受信機器１Ａと受信機器１Ｂのどちらか１つで構成される。
【００３４】
受信機器１Ａは、プリント専門店に備えられている写真注文受付機である。写真注文受付機には、別体型のプリンタ１Ｃが備えられている。受信機器１Ｂは、家庭用のプリンタである。また、入力機器２はデジタルカメラである。本実施の形態の装置構成は受信機器１が写真注文受付機の場合で説明する。受信機器１がプリンタの場合については、後述する第３の実施の形態で説明する。図２に示すように受信機器１Ａは第１の算出手段、第２の算出手段、選択手段としてのＣＰＵ（Central Processing Unit）１０と、ＲＯＭ（Read Only Memory）１１と、ＲＡＭ（Random Access Memory）１２と、第２の記憶手段としてのＨＤＤ（Hard Disk Drive）１３と、操作手段としてのタッチパネル１４と、カードＩ／Ｏ（Input／Output）１５と、カードスロット１６と、受信手段、取得手段としての通信部１７と、表示コントローラ１８と、モニター１９と、プリントコントローラ２０と、プリンタ１Ｃと、キャッシュコントローラ２２と、入金装置２３と、出金装置２４と、図１では示しているが、図２では省略した、入金等の際に用いられる非接触ＩＣリーダー及び磁気カードリーダーと、を備えて構成される。
【００３５】
ＣＰＵ１０は、受信機器の各部を中央制御する。ＣＰＵ１０は、ＲＯＭ１１に記憶されているシステムプログラム及び各種アプリケーションプログラムの中から指定されたプログラムをＲＡＭ１２に展開し、ＲＡＭ１２に展開されたプログラムとの協働で、各種処理を実行する。特に、ＲＯＭ１２には、取得データによる演算プログラム、第１の総合判定プログラム、第１の画面操作プログラムが記憶される。
【００３６】
ＣＰＵ１０は、後述する取得データによる演算プログラムとの協働により、通信に必要な消費電力及び通信予想時間を演算する処理である。
【００３７】
ＣＰＵ１０は、後述する第１の総合判定プログラムとの協働により、受信機器１Ａと入力機器２の最適な通信方式を選択する。
【００３８】
ＣＰＵ１０は、後述する第１の操作画面プログラムとの協働により、第１の総合判定処理の結果に基づいて、プリント実行のための通信手段をモニター１９に表示する。
【００３９】
ＲＯＭ１１は、読み出し専用の記憶媒体であって、ＣＰＵ１０により実行される各種プログラムや各種データを記憶する。
【００４０】
ＲＡＭ１２は、揮発性のメモリであり、実行される各種プログラムやこれら各種プログラムに係るデータ等を一時的に記憶するワークエリアを形成する。
【００４１】
ＨＤＤ１３は、各種プログラム及び各種データを記憶する。特にＨＤＤ１３は、プリント処理情報、個体識別情報、プリント処理状態情報、画像データ等が記憶される。
【００４２】
タッチパネル１４は、抵抗膜式、光学式等のタッチパネルであり、各種機能の選択、実行等のユーザのタッチ入力情報を受付けてＣＰＵ１０に出力する。
【００４３】
カードスロット１６はメモリカード等を着脱自在に装着する。カードＩ／O（Input/Output）１５を介して、カードスロット１６に挿入されたメモリカード等とＣＰＵ１０間でデータの入出力が行われる。また、入金口を備えた入金装置２３、出金装置２４によって入金、つり銭の処理がキャッシュコントローラ２２を介して行われる。
【００４４】
通信部１７は、アクセスポイント、ＬＡＮカード等により構成され、接続される入力機器２を含む外部機器と情報を送受信する。通信プロトコルとしては、ＰＴＰ／ＩＰ（Picture Transfer Protocol/Internet Protocol）、PictBridge、赤外線等の無線伝送方式によって実現される。ＰＴＰ／ＩＰ又はPictBridgeを採用することにより、入力機器２をわざわざＰＣに接続したり、外部メモリを脱着してパソコンでデータを読み出したりすることなく、入力機器２に記憶される画像データを直接受信機器１Ａへ送信することができる。
【００４５】
モニター１９は、ＬＣＤ、ＣＲＴ（Cathode Ray Tube）等で構成され、表示コントローラ１８を介してＣＰＵ１０からの表示信号に従って画面表示を行う。
【００４６】
プリンタ１Ｃはプリントコントローラ２０を介して、画像データに基づく画像を記録紙上にプリントする。また、プリンタ１Ｃと受信機器の接続は有線、無線どちらでもよく、プリンタ１Ｃは受信機器１Ａと一体型でも別体型でも良い。本実施例では、別体型として説明する。
【００４７】
次いで、図３を参照して、入力機器２の構成について説明する。入力機器２は、ＣＰＵ３１と、ＲＯＭ３２と、ＲＡＭ３３と、第１の記憶手段としての記憶部３４と、入力部３５と、送信手段としての通信部３６と、撮像部３７と、表示部３８と、電力供給手段としての電源部３９を備えて構成される。
【００４８】
ＣＰＵ３１は、入力機器２の各部を中央制御する。ＣＰＵ３１は、ＲＯＭ３２に記憶されているシステムプログラム及び各種アプリケーションプログラムの中から指定されたプログラムをＲＡＭ３３に展開し、ＲＡＭ３３に展開されたプログラムとの協働で、各種処理を実行する。
【００４９】
記憶部３４は、読み書き可能なフラッシュメモリやハードディスク等により構成され、プリント対象画像データとプリント処理情報等を記憶し、外部メモリに対するデータの読み書きを行う。
【００５０】
入力部３５は、カーソルキーやシャッターキー、各種ボタン等のプログラムの実行や、各種情報等の入力に必要なキー群を備えた入力装置であり、ユーザによって押下されたキーの操作信号をＣＰＵ３１に出力する。
【００５１】
通信部３６は、無線通信、アダプタ等により構成され、受信機器１Ａと情報を送受信する。通信プロトコルとしては、ＰＴＰ／ＩＰ（Picture Transfer Protocol/Internet Protocol）、PictBridge等の無線伝送方式によって実現される。
【００５２】
撮像部３７は、撮影レンズ、ＣＣＤ（Charge Coupled Device）やＣＭＯＳ（Complementary Metal Oxide Semiconductor）等の撮像素子、及びタイミングジェネレータ等によって構成される。
【００５３】
表示部３８は、バックライト付きのカラーＬＣＤ（Liquid Crystal Display）やＥＬＤ（Electronic Luminescent Display）で構成され、入力機器２の各種情報や撮影画像等を表示する。例えば、撮影時には、電子ファインダーとして、撮影している被写体の画像を動画表示（いわゆるファインダー画像を表示）したり、シャッターが切られて撮像された瞬間の画像を表示したりする。
【００５４】
電源部３９は、例えばマンガン電池、アルカリ電池等の各種電池や、例えばニカド電池、ニッケル水素電池、リチウムイオン電池、小型シール鉛電池、鉛蓄電池、燃料電池、太陽電池等の充電自在な電池から構成されており、入力機器２を構成する各部に電力を供給する。
【００５５】
プリント処理情報は、プリントする際に受信機器１Ａが利用する情報である。プリント処理情報は、例えば、ＤＰＯＦ（Digital Print Order Format）等のデータ形式により構成され、画像のサイズ、ファイル名、トリミング設定、機器情報、日付と時刻、プリント時の画像毎の枚数、プリントサイズ、プリント方法等を含む。画像毎の枚数、プリントサイズ、プリント方法は、ユーザにより選択され、他の情報はＣＰＵ１０が設定する。
【００５６】
次に、図４を参照して、受信機器１Ａで行われる取得データによる演算処理について説明する。取得データによる演算処理は、通信に必要な消費電力及び通信予想時間を演算する処理である。先ず、入力機器２からプリント完了希望時刻４１、単位通信量当たりの消費電力（もしくは単位時間当たりの消費電力）４２、画像サイズ４３、通信速度４４、接続操作時間４５、プリント処理情報４６、電池残量４７が取得され、受信機器１Ａから現在時刻５４、プリント店の閉店時間５５が取得され、受信機器１ＡのＨＤＤ１３に記憶される。
【００５７】
単位通信量当たりの消費電力４２は入力機器２で消費される単位通信量当たりの電力である。単位通信量当たりの消費電力４２は単位動作時間当たりの消費電力４２であってもよい。また、画像サイズ４３は、プリントする画像データの画像サイズの総和である。
【００５８】
通信速度４４は入力機器２と受信機器１Ａとの間のデータ通信を行う速度であり、入力機器２、受信機器１Ａのどちらから取得してもよい。
【００５９】
接続操作時間４５は、受信機器１Ａと入力機器２との通信接続操作に要する時間である。
【００６０】
プリント処理情報４６には、プリントする画像データのファイル名が記録されている。受信機器１Ａは、プリントする画像データのファイル名を参照することによりプリントする画像サイズ４３を入力機器２に問い合わせて取得することができる。
【００６１】
電池残量４７は入力機器２の電池の残量である。電池残量４７は市販のＩＣ測定により測定可能である。入力機器２の電池が燃料電池である場合は、透過及び反射センサーで燃料残量を測定すればよい。また、単位動作時間当たりの消費電力４２を用いる場合は、入力機器２の測定装置で単位動作時間当たりの消費電力４２を予め測定し、出荷時に工場値としてプリセットすれば良い。
【００６２】
プリント完了希望時刻４１は、ユーザが希望するプリントの完了時刻である。この完了希望時刻４１は時間閾値５２を求める際に用いられるが、受信機器１Ａが取得するデータにおいて必須データではない。
【００６３】
電池残量４７、単位通信量当たりの消費電力４２、プリント処理情報４６、画像サイズ４３とが取得されると、単位通信量あたりの消費電力４２と画像サイズ４３との積計算（ステップＳ４１）が行われ、消費電力４９が算出される。そして、電池残量４７と算出された消費電力４９とが比較され、電池判定（ステップＳ４２）が行われる。ステップＳ４１及びステップＳ４２は、後述する第１の総合判定処理（図６）におけるステップＳ１０２に対応する。
【００６４】
通信予想時間４８は、画像サイズ４３、通信速度４４、接続操作時間４５から計算により算出される（ステップＳ４３）。具体的には、画像サイズ４３と通信速度４４とから通信時間が算出され、通信時間と接続操作時間４５の和から通信予想時間４８が算出される。
【００６５】
また、現在時刻５０、プリント店の閉店時間５１、ユーザのプリント完了希望時刻４１から計算（ステップＳ４４）により時間閾値５２が求められる。時間閾値５２を求める際の優先順位は閉店時間５１、プリント完了希望時刻４１の順とする。以下、時間閾値５２は、プリント店の閉店時間５１として説明する。そして、通信予想時間４８と時間閾値５２とが比較され時間判定（ステップＳ４５）が行われる。ステップＳ４３、ステップＳ４４及びステップＳ４５は後述する第１の総合判定処理（図６）におけるステップＳ１０１に対応する。
【００６６】
消費電力４９の計算（ステップＳ４１）の際に、単位時間当たりの消費電力４２を用いる場合は、画像サイズ４３と通信速度４４の除算から通信予想時間４８が算出される。そして、算出された通信予想時間４８と単位時間当たりの消費電力４２との積演算（ステップＳ４１；図中の点線矢印）で消費電力４９が算出される。
【００６７】
次に、図５及び図６を参照して、総合判定を説明する。図５に総合判定で判定される各通信方式の特性一覧、図６に第１の総合判定処理を示す。
【００６８】
図５を参照して各通信方式の特性について説明する。図５に各通信方式の特性一覧を示す。
【００６９】
受信機器１Ａと入力機器２は、共に１つ以上の第１の情報伝達手段としての電池方式（無線通信手段）と、第２の情報伝達手段としての外部電源使用方式（有線通信手段）を持つ。図５に示す各通信方式の特性一覧表における通信方式１〜３は、無線通信手段の特性を示し、通信方式４は有線通信手段を示す。通信方式１は通信速度が最も高い「高」、単位時間あたりの消費電力が最も大きい「大」、単位電力当たりの転送量が最も小さい「小」の特性を示す。通信方式１は例えば高周波帯の高速無線通信である。通信方式２は、通信速度が「中」、単位時間あたりの消費電力が「中」、単位電力当たりの転送量が「中」である特性を示す。通信方式２は例えば高速赤外通信である。通信方式３は、通信速度が「低」、単位時間あたりの消費電力が「小」、単位電力当たりの転送量が「大」である特性を示す。通信方式３は例えば低速赤外通信である。通信方式４は有線通信のため、通信速度及び単位時間当たりの消費電力はＮ／Ａ（無関係）で示してある。また、入力機器２側の単位電力当たりの転送量は無限であるので∞（無限大）としてある。通信方式４は例えばメモリカード挿入やＵＳＢケーブル接続、カメラのクレードル接続等である。以下、通信方式４はメモリカード挿入として説明する。
【００７０】
次いで、図６を参照して第１の総合判定処理について説明する。総合判定処理は、プリント注文システム１００において、受信機器１Ａと入力機器２の通信方式を選択する処理である。
【００７１】
先ず、入力機器２が図示しない無線ＬＡＮポートと無線通信可能な圏内に入ると、受信機器１Ａは、図示しないアクセスポイントに接続されている受信機器１Ａとアクセスポイントを介して通信接続を確立しネットワークが形成される。
【００７２】
入力機器２と受信機器１Ａの通信手段において、現在接続されている通信方式（例えば図５の通信方式２）で時間判定が行われる（ステップＳ１０１）。ステップＳ１０１は前述した取得データによる演算処理（図４）におけるステップＳ４３、ステップＳ４４及びステップＳ４５に対応する。
【００７３】
現在接続されている通信方式で通信予想時間４８が閉店時間５１を上回る場合（ステップＳ１０１；ＮＯ）、後述する第１の画面操作処理でメモリカードの引渡しがモニター１９に表示される（ステップＳ１１２）。現在接続されている通信予想時間４８が閉店時間５１を下回る場合（ステップＳ１０１；ＹＥＳ）、現在の通信方式で電池残量４７と消費電力４９が比較される（ステップＳ１０２）。電池残量４７と消費電力４９の比較は、例えば、電池残量４７が消費電力４９の２／３未満になった場合、通信方式が切り替えられる。また、ステップＳ１０２は前述した取得データによる演算処理（図４）におけるステップＳ４１及びステップＳ４２に対応する。
【００７４】
現在の通信方式で電池残量４７が消費電力４９を上回る場合（ステップＳ１０２；ＹＥＳ）、電池方式の受信が継続される（ステップＳ１０３）。このとき、受信機器１Ａのモニター１９に現在の通信方式（例えば通信方式２）が通知される。通知は入力機器２の表示部３８に行っても良い。また、後述する第１の画面操作処理でユーザが画面操作の終了を選択する場合は、受信機器１Ａと入力機器２の通信は遮断される。
【００７５】
ステップＳ１０３の実行後、画像データの通信が完了したか否かが判断される（ステップＳ１０４）。通信完了していない場合（ステップＳ１０４；ＮＯ）、ステップＳ１０１へ移行される。通信完了している場合（ステップＳ１０４；ＹＥＳ）、総合判定処理は終了する。
【００７６】
ステップＳ１０２において、現在の通信方式で電池残量４７が消費電力４９を下回る場合（ステップＳ１０２；ＮＯ）、通信切断処理が行われる（ステップＳ１０５）。ここで、通信切断処理とは、通信再開用のＩＤ（Identification）が入力機器２と受信機器１Ａで共有され、現在の通信状態におけるデータ（例えば通信途中の画像データ等）が保存された後、入力機器２と受信機器１Ａの通信が遮断される処理である。このとき、ＩＤの共有は通信切断までのどの時点で行っても良い。
【００７７】
ステップＳ１０５の実行後、現在の通信方式より低速で消費電力が少ない通信方式（現在の通信方式＋１；例えば通信方式２から通信方式３）へ切り替えられる（ステップＳ１０６）。
【００７８】
ステップＳ１０６の実行後、通信方式４であるか否かが判断される（ステップＳ１０７）。通信方式４でない場合（ステップＳ１０７；ＮＯ）、現在の通信方式で通信予想時間４８が閉店時間５１を下回るか否かが判断される（ステップＳ１０８）。ステップＳ１０８は前述した取得データによる演算処理（図４）におけるステップＳ４３、ステップＳ４４及びステップＳ４５に対応する。
【００７９】
現在接続されている通信予想時間４８が閉店時間５１を下回る場合（ステップＳ１０８；ＹＥＳ）、現在の通信方式で電池残量４７と消費電力４９とが比較される（ステップＳ１０９）。ステップＳ１０９は前述した取得データによる演算処理（図４）におけるステップＳ４１及びステップＳ４２に対応する。
【００８０】
現在の通信方式で電池残量４７が消費電力４９を上回る場合（ステップＳ１０９；ＹＥＳ）、ステップＳ１０３へ移行される。ここで、ステップＳ１０５で保存された以外のデータ（例えば未受信の画像データ等）の受信が継続される。
【００８１】
現在の通信方式で電池残量４７が消費電力４９を下回る場合（ステップＳ１０９；ＮＯ）、ステップＳ１０５へ移行される。
【００８２】
また、ステップＳ１０７で通信方式４である場合（ステップＳ１０７；ＮＯ）、後述する第１の操作画面処理でモニター１９に電池残量不足である旨が表示される（ステップＳ１１０）。その後、通信が開始されて完了され（ステップＳ１１１）、第１の総合判定処理は終了する。
【００８３】
次に図７を参照して、受信機器１Ａにおいて実行される第１の操作画面処理について説明する。第１の操作画面処理は総合判定の結果に基づいて、ユーザが受信機器１Ａの画面操作を行う処理である。
【００８４】
先ず、受信機器１Ａのモニター１９の画面上に受信機器１Ａと入力機器２が通信接続中であることを示す「現在接続中です」と表示される（ステップＳ１２１）。総合判定により、通信予測時間４８が閉店時間５１よりも余裕が有り、通信方式が電池方式であった場合（ステップＳ１２１；時間○・電池方式）、画像データの受信が開始される。そして、モニター１９の画面操作を終了するか否かがユーザにより判定される。ここで画面上には「画像受信を開始。残り××分です。通信中は電源を切らないで下さい。通信圏内であれば移動可能です。画面操作を終了しますか？」と表示される（ステップＳ１２２）。
【００８５】
ユーザにより画面操作の終了（ステップＳ１２２；ＹＥＳ）が選択された場合、画面操作が終了される。このとき「画面操作はこれで終わりです。引き換えチケットをお取り下さい」と表示される（ステップＳ１２５）。プリントが終了すると、ユーザは例えばプリンタ１Ｃからプリントアウトされた引き換えチケットを受け取ることができる。また、受信機器１Ａに受け取り用の引き換えチケット情報がデジタル情報として送信されても良い。ユーザはプリント受け取り時、引き換えチケット上に記録されているバーコード、もしくは２Ｄデジタルバーコード、整理番号等でプリントオーダー（プリント注文）を確認する。清算はプリント受け取り時でも、プリントオーダー確定時でもよい。
【００８６】
画面操作が終了されない場合（ステップＳ１２２；ＮＯ）、画面上に「残り××分。通信中は電源を切らないでください。画面操作を終了しますか？」と表示される（ステップＳ１２３）。ユーザにより画面操作が終了されない場合（ステップＳ１２３；ＮＯ）、ステップＳ１２５へ移行される。画面操作が終了される場合（ステップＳ１２３；ＹＥＳ）、画面上に「プリントの受付が終了いたしました。引き換えチケットをお持ちください」と表示される（ステップＳ１２４）。ステップＳ１２１〜Ｓ１２５は、前述した第１の総合判定処理（図６）のステップＳ１０１〜Ｓ１０９に対応する。
【００８７】
ステップＳ１２１において、総合判定により、通信予測時間４８が閉店時間５１よりも余裕が有り、通信方式が外部電源使用方式（メモリカード挿入）であった場合（ステップＳ１２１；時間○・外部電源方式）、モニター１９の画面上に「電池残量不足です。メモリカードを挿入してください」と表示される（ステップＳ１２６）。
【００８８】
受信機器１Ａがメモリカードの挿入を検出した後、画像データの受信が開始される。このとき、画面上に「画像受信中です」と表示される（ステップＳ１２７）。ステップＳ１２６、Ｓ１２７及びＳ１２４は前述した第１の総合判定処理（図６）のステップＳ１１０及びＳ１１１に対応する。
【００８９】
ステップＳ１２１において、総合判定により、全ての通信方式において通信予測時間４８が閉店時間５１よりも余裕が無い場合（ステップＳ１２１；時間×）、モニター１９の画面上に「営業時間内に受信できないため受注できません。メモリカード預かりなら受注可能です。」と表示される。ステップＳ１２８は前述した第１の総合判定処理のステップＳ１１２に対応する。ステップＳ１２７、Ｓ１２４、Ｓ１２８の実行後、第１の画面操作処理は終了する。
【００９０】
以上、本実施の形態によれば  プリント注文システム１００における受信機器１Ａと入力機器２の通信方式において、電池方式（無線方式）及び外部電源使用方式（メモリカード挿入方式）が備えられていることにより、入力機器２の電池残量４７が消費電力４９よりも少ない場合でも、メモリカード挿入方式を選択することによって、プリントのためのデータ転送を完了することができ、ユーザは効率的なプリントが可能となる。
【００９１】
また、受信機器１Ａと入力機器２の通信方式において、消費電力４９が入力機器２の電池残量４７以下の場合、無線方式を選択することにより、プリントのためのデータ転送を完了することができ、ユーザは効率的なプリントが可能となる。
【００９２】
また、通信予想時間４８を算出することにより、通信予想時間４８が閉店時間５１より短い無線方式及びメモリカード挿入方式を選択することができ、ユーザは通信予想時間４８を参照して予めプリントする時間を判断することができ、効率的なプリントが可能となる。
【００９３】
また、時間閾値５２は現在時刻情報に応じて変化することにより、時間状況に応じて適切な情報伝達手段の選択が可能となる。
【００９４】
また、無線方式が複数備えられていることにより、複数の無線方式から１つの無線方式を選択することができる。
【００９５】
また、入力機器２の電池残量４７と消費電力４９を比較することにより、最速な無線方式を選択することができ、時間に効率的なプリントが可能となる。
【００９６】
また、通信方式が無線方式の場合、通信接続のための手間が省略できる。また、画像選択が終了すれば、ユーザは入力機器２を携帯した状態で移動が可能となる。
【００９７】
また、所定の閉店時間５１内に通信予想時間４８が収まらない場合、ユーザはプリンタ店にメモリカードを預ける等でプリントオーダーが可能となる。
【００９８】
また、受信機器１Ａとプリンタ１Ｃが別体型であることにより、ユーザが受信機器１Ａの操作を施さない場合は、自動的なプリントが可能である。この場合、ユーザは画像データ送信中に受信機器１Ａの前に居続ける必要がなく、受信機器１Ａから離れて自由に行動できる。
【００９９】
また、受信機器１Ａとプリンタ１Ｃを別体型とすることにより、出力されたプリントはプリント店の店員以外の目にふれることはなく、盗まれることもないので、プリントの保護を図ることができる。
【０１００】
（第２の実施の形態）
図８及び図９を参照して、本発明に係る第２の実施の形態を説明する。図８に第２の総合判定処理、図９に第２の操作画面処理を示す。
【０１０１】
本実施の形態の装置構成は、第１の実施形態と同様に受信機器１Ａを用い、その異なる部分を主として説明する。
【０１０２】
受信機器１ＡにおいてＲＯＭ１１に第２の総合判定プログラム、第２の操作画面プログラムが記憶される。
【０１０３】
図８を参照して、第２の総合判定処理を説明する。第１の総合判定処理と異なる部分を主として説明する。
【０１０４】
第２の総合判定処理では、ユーザによりタッチパネル１４を介して通信方式４を選択する入力があるか否かが判断される（ステップＳ１５１）。ユーザにより通信方式４が選択された場合（ステップＳ１５１；ＹＥＳ）、ステップＳ１６２へ移行される。通信方式４が選択されなかった場合（ステップＳ１５１；ＮＯ）、ステップＳ１５２へ移行される。ステップＳ１５２以降は第１の総合判定処理と同様である。尚、ステップＳ１５５；ＮＯの場合、ステップＳ１５１へ移行される。
【０１０５】
次に、図９を参照して、受信機器１Ａで実行される第２の画面操作処理を説明する。第２の画面操作処理は、ユーザが受信機器１Ａの画面操作を行う際、通信方式を選択することができる処理である。
【０１０６】
ステップＳ２０１は第１の画面操作処理のステップＳ１２１と同様である。ステップＳ２０１の実行後、総合判定により、通信予測時間４８が時間閾値５２よりも余裕が有り、通信方式が電池方式であった場合（ステップＳ２０１；時間○・電池方式）、電池方式（無線接続）を継続するかカード接続に切り替えるか、ユーザにより選択される（ステップＳ２０２）。ユーザにより無線接続が選択された場合、ステップＳ２０３へ移行される。
【０１０７】
ステップＳ２０２の実行後、ユーザによりメモリカード接続が選択された場合、受信機器１Ａによりメモリカードが挿入されたのが検出された後、画像受信が開始される（ステップＳ２０８）。ステップＳ２０４〜Ｓ２０９は第１の画面操作処理のステップＳ１２３〜Ｓ１２８と同様である。
【０１０８】
ステップＳ２０１〜Ｓ２０６は前述した第２の総合判定処理（図８）ステップＳ１５１〜Ｓ１６０に該当する。また、ステップＳ２０７、Ｓ２０８及びＳ２０５は図８のステップＳ１６１及びＳ１６２に該当し、ステップＳ２０９は図８のステップＳ１６３に該当する。ステップ２０５、Ｓ２０８、Ｓ２０９の実行後、第２の操作画面処理は終了する。
【０１０９】
以上、本実施の形態によれば、ユーザがタッチパネル１４の操作により、ユーザの意図で無線方式及びメモリカード挿入方式を選択することができる。
【０１１０】
（第３の実施の形態）
図１０〜図１２を参照して、本発明に係る第３の実施の形態を説明する。図１０に本実施の形態の受信機器１Ｂの内部構成を示す。図１１に第３の総合判定処理、図１２に第３の操作画面処理を示す。  
【０１１１】
本実施の形態の装置構成は、第１の実施形態と同様にプリント注文システム１００を用い、その異なる部分を主として説明する。
【０１１２】
図１０はプリント注文システムの受信機器１がプリンタとしての受信機器１Ｂである場合の構成である。受信機器１ＢはＣＰＵ３０１と、ＲＯＭ３０２と、ＲＡＭ３０３と、表示部３０４と、カードＩ／Ｏ３０５と、カードスロット３０６と、通信部３０７と、プリントコントローラ３０８と、プリント作成装置３０９と、ＵＳＢ３１０と、図１では示したが、図９では省略した給紙部と、排紙部と、ＬＥＤと、を備えて構成される。以下に、図２と異なる部分を主として説明する。
【０１１３】
ＣＰＵ３０１は、受信機器１Ｂの各部を中央制御する。ＣＰＵ３０１は、ＲＯＭ３０２に記憶されているシステムプログラム及び各種アプリケーションプログラムの中から指定されたプログラムをＲＡＭ３０３に展開し、ＲＡＭ３０３に展開されたプログラムとの協働で、各種処理を実行する。ＲＯＭ３０２には、第３の総合判定プログラム、第３の通信中断プログラムが記憶される。
【０１１４】
ＣＰＵ３０１は、後述する第３の総合判定プログラムとの協働により、受信機器１Ａと入力機器２の最適な通信方式を選択する。
【０１１５】
ＣＰＵ３０１は、後述する第３の操作画面プログラムとの協働により、第３の総合判定処理の結果に基づいて、プリント実行のための通信手段をモニター１９に表示する。
【０１１６】
表示部３０４は、ＬＣＤ等の表示画面を備え、ＣＰＵ３０１から入力される表示制御信号に従って、所要の表示処理を行う。
【０１１７】
プリント作成装置３０９はプリントコントローラ３０８を介して、画像データに基づく画像を記録紙上にプリントする。尚、プリントコントローラ３０８は記録紙の搬送と記録紙への印画動作を制御するものであってもよく、接続されているプリント作成装置に送信する画像を制御するものであってもよい。また、ＵＳＢ３１０により入力機器２との通信が可能となる。
【０１１８】
次に、図１１を参照して第３の総合判定処理を説明する。第１の総合判定処理と異なる部分を主として説明する。
【０１１９】
第３の総合判定処理は、図６のステップＳ１０１、Ｓ１０８、Ｓ１１２を除いた他は第１の総合判定処理と同様である。
【０１２０】
次に、図１２を参照して第３の画面操作処理を説明する。第３の操作画面処理は第３の総合判定処理の結果に基づいて、ユーザが受信機器１Ｂの表示部３０４を参照して通信方式の選択を行う処理である。
【０１２１】
ステップＳ３１１は第１の画面操作処理のステップＳ１２１と同様である。ステップＳ３１１の実行後、総合判定により、通信予測時間４８が時間閾値５２よりも余裕が有り、通信方式が電池方式であった場合（ステップＳ３１１；時間○・電池方式）、受信機器１Ａにより画像データの受信が開始される。このときモニター１９の画面上に「画像受信中。あと××分です。××時：××分以降には入力機器２を使えます」と表示される（ステップＳ３１２）。画像受信後、プリントが完了される（ステップＳ３１５）。
【０１２２】
ステップＳ３１３、Ｓ３１４はそれぞれ第１の画面操作処理のステップＳ１２６、Ｓ１２７と同様である。ステップＳ３１４の実行後、プリントが終了されると、ステップＳ３１５へ移行される。
【０１２３】
ステップＳ３１１、Ｓ３１２、Ｓ３１５は前述した第３の総合判定処理（図１１）のＳ２５１〜Ｓ２５７に対応する。ステップＳ３１３及びＳ３１４は図１１のステップＳ２５８及びＳ２５９に対応する。ステップＳ３０４の実行後、第３の操作画面処理は終了する。
【０１２４】
また、ユーザによる操作を受信機器１Ｂ側で行う構成としたが、入力機器２側で行うこととしてもよい。この場合、受信機器１ＢにメモリカードＩ／Ｆ（インターフェース）が存在するかを取得する必要がある。
【０１２５】
以上、本実施の形態によれば、プリント注文システム１００における受信機器１Ｂがプリンタの場合でも、無線方式及びメモリカード挿入方式が備えられていることにより、入力機器２の電池残量が消費電力４９よりも少ない場合でも、メモリカード挿入方式を選択することによって、プリントのためのデータ転送を完了することができ、ユーザは効率的なプリントが可能となる。  
【０１２６】
また、所定時間以降に入力機器２を持ち出す予定がある場合、プリントオーダーが可能であるかどうかをユーザは予め判断することができる。
【０１２７】
なお、上記実施の形態における記述は、本発明に係るプリント注文システム、プリント注文方法の一例であり、これに限定されるものではない。
【０１２８】
例えば、受信機器１としては写真注文受付機、家庭用プリンタに限定されるものではなく、Ｗｅｂの画像ストレージサーバ、プリントサーバ等としてもよい。また、入力機器２はデジタルカメラに限定されるものではなく、電子手帳、携帯電話、ＰＣ、ＴＶ、携帯ゲーム機等としてもよい。
【０１２９】
また、入力機器２との通信は、Bluetooth、ＬＡＮ（Local Area Network）、ＵＳＢ（Universal Serial Bus）、ＩＥＥＥ（Institute of Electrical and Electronic Engineers）１３９４等の有線通信、メモリカードの着脱等で接続することとしてもよい。
【０１３０】
また、上記実施の形態では、受信機器１は単数の入力機器２と接続する構成としたが、複数の入力機器２と同時接続する構成としてもよい。  
【０１３１】
また、外部電源使用方式としてはメモリカード挿入に限定されるものでなく、ＵＳＢケーブル接続、カメラのクレードル接続等としてもよい。
【０１３２】
また、上記実施の形態の操作画面処理は入力機器２、受信機器１のどちらで表示してもよい。
【０１３３】
また、プリンタへのプリント操作手順や写真プリント受付機の操作手順は、市販の機器の操作に沿った形で行えばよい。
【０１３４】
その他、上記実施の形態における受信機器の細部構成及び詳細動作に関しても、本発明の趣旨を逸脱しない範囲で適宜変更可能である。
【図面の簡単な説明】
【０１３５】
【図１】本発明に係るプリント注文システム１００の構成例を示す図である
【図２】受信機器１Ａの構成を示すブロック図である。
【図３】入力機器２の構成を示すブロック図である。
【図４】取得データによる演算の概略を示す図である。
【図５】各通信方式の特性を示す表である。
【図６】第１の総合判定処理を示すフローチャートである。
【図７】第１の操作画面処理を示すフローチャートである。
【図８】第２の総合判定処理を示すフローチャートである。
【図９】第２の操作画面処理を示すフローチャートである。
【図１０】受信機器１Ｂの構成を示すブロック図である。
【図１１】第３の総合判定処理を示すフローチャートである。
【図１２】第３の操作画面処理を示すフローチャートである。
【符号の説明】
【０１３６】
１００  プリント注文システム
１   受信機器
１Ａ 受信機器
１Ｂ   受信機器
１Ｃ プリンタ
２   入力機器
１０ ＣＰＵ
１１ ＲＯＭ
１２ ＲＡＭ
１３ ＨＤＤ
１４ タッチパネル
１５ カードＩ／Ｏ
１６ カードスロット
１７ 通信部
１８ 表示コントローラ
１９ モニター
２０ プリントコントローラ
２２ キャッシュコントローラ
２３ 入金装置
２４ 出金装置
３１ ＣＰＵ
３２ ＲＯＭ
３３ ＲＡＭ
３４ 記憶部
３５ 入力部
３６ 通信部
３７ 撮像部
３８ 表示部
３９ 電源部
４１ プリント完了希望時刻
４２ 単位通信量あたりの消費電力（単位時間あたりの消費電力）
４３ 画像サイズ
４４ 通信速度
４５ 接続操作時間
４６ プリント処理情報
４７ 電池残量
４８ 通信予想時間
４９ 消費電力
５０ 現在時刻
５１ 閉店時間
５２ 時間閾値
３０１ ＣＰＵ
３０２ ＲＯＭ
３０３ ＲＡＭ
３０４ 表示部
３０５ カードＩ／Ｏ
３０６ カードスロット
３０７ 通信部
３０８ プリントコントローラ
３０９ プリント作成装置
【図１】
2007156735.tif 000003
【図２】
2007156735.tif 000004
【図３】
2007156735.tif 000005
【図４】
2007156735.tif 000006
【図５】
2007156735.tif 000007
【図６】
2007156735.tif 000008
【図７】
2007156735.tif 000009
【図８】
2007156735.tif 000010
【図９】
2007156735.tif 000011
【図１０】
2007156735.tif 000012
【図１１】
2007156735.tif 000013
【図１２】
2007156735.tif 000014